(57)【要約】【課題】タンク及びポンプのユニットを一人の作業者が背負って携行し、当該作業者が把持する把持管にノズルを配して一人の作業者にて線引きすることができる線引装置を提供する。【解決手段】液剤が収容されるタンク１に、該タンク１内の液剤を吐出するポンプを装着し、タンク１を背負って携行するための背負い部材３，３、及びポンプの吐出路に可撓ホース５により接続されている把持管６を設け、該把持管６の先端部にノズル７を設けることにより、一人の作業者にて線引きすることができるようにした。【選択図】図１
2013055980.tif 000002
【特許請求の範囲】
【請求項１】
液剤が収容されるタンク内の前記液剤を吐出するポンプ及び該ポンプが吐出した液剤を噴射する線引用のノズルを備える線引装置において、前記ポンプは前記タンクに装着されており、前記タンクを携行するための携行部、及び前記ポンプの吐出路に可撓ホースにより接続されている把持管を有し、該把持管の先端部に前記ノズルを配してあることを特徴とする線引装置。
【請求項２】
前記把持管は、前記ノズルの両側に接地輪を有する請求項１記載の線引装置。
【請求項３】
液剤が収容されるタンク内の前記液剤を吐出するポンプ及び該ポンプが吐出した液剤を噴射する線引用のノズルを備える線引装置において、前記ポンプは操作レバーの操作により駆動される手動式であって前記タンクに装着されており、前記タンクは、該タンクを肩掛けして携行するための肩掛け部材及び前記操作レバーを有しており、前記ポンプの吐出路に可撓ホースにより接続されている把持管を備え、該把持管の先端部に前記ノズル及び接地輪を配してあることを特徴とする線引装置。
【発明の詳細な説明】
【技術分野】
【０００１】
本発明は運動場、路上、床等に線引きするための線引装置に関する。
【背景技術】
【０００２】
運動場、路上等に線引きするための線引装置は例えば特許文献１、２に記載されている。特許文献１の線引き装置は、複数の車輪により支持され、ハンドルを有する台車に、液剤が収容されるタンクと、該タンク内の液剤を吐出する電動ポンプと、該電動ポンプの電源用バッテリ及び電動ポンプの吐出路に接続されたノズルとが搭載され、該ノズルが台車の一側に下向きに配され、台車を手動で移動させつつノズルから噴射して地面に線引きするように構成されている。
【０００３】
特許文献２の線引装置は、複数の車輪により支持され、液剤が収容される縦長のタンクの下部で、前記車輪の間に、前記タンク内に弁体を介して連通するノズルが装着され、前記タンクの上部に、ハンドル及び前記弁体を開閉操作するレバーが設けられ、前記タンクを手動で移動させつつノズルから自然落下させて地面に線引きするように構成されている。
【先行技術文献】
【特許文献】
【０００４】
【特許文献１】特開平８−７１２０１号公報
【特許文献２】特開２００９−２０７６９３号公報
【発明の概要】
【発明が解決しようとする課題】
【０００５】
ところが、特許文献１のような加圧噴射式の線引装置にあっては、タンク、電動ポンプ及び電源用バッテリ等の部品が台車に搭載されており、線引装置全体の重量が増加するため、手動で移動させ難いし、また、線引き箇所が円形、曲線になっている場合、線引装置全体のハンドル側を持ち上げて線引き作業を行わなければならず、作業者の負担が大きいという課題があり、また、部品点数が比較的多く、コスト高になるという課題があった。
【０００６】
また、特許文献２のよう自然落下式の線引装置にあっては、加圧噴射式に比べて線引長さに対するノズルからの放出量が多くなるため、ランニングコストが高くなり、また、加圧液にすることなく自然落下させているため、塗料が使用された場合、一様の幅に線引きすることができず、線幅にムラが発生するという問題があり、水だけの線引きに限定されるという問題がある。また、水だけの線引きでは、濡れた地面や芝生では線引きすることができず、使用条件が限定されるという問題があり、また、自然落下式では、タンク内の残液量によって放出量が変化することになるため、一定濃度で線引きすることができないという問題があった。
【０００７】
本発明は斯かる事情に鑑みてなされたものであり、主たる目的はタンク及びポンプをユニットとし、該ユニットを一人の作業者が携行し、当該作業者が把持する把持管にノズルを配することにより、一人の作業者にて線引きすることができる線引装置を提供することにある。
【０００８】
また、他の目的は、作業者が把持する把持管のノズルの両側に接地輪を設けることにより、作業者の負担を軽減することができるとともに、ノズルの安定性を良好にすることができる線引装置を提供することにある。
【０００９】
また、他の目的は、タンク及びポンプをユニットとし、該ユニットを一人の作業者が背負って携行し、当該作業者が片手で、ノズルが設けられている把持管を握り、他の手でポンプを動作させる構成とすることにより、一人の作業者にて線引きすることができる線引装置を提供することにある。
【課題を解決するための手段】
【００１０】
本発明に係る線引装置は、液剤が収容されるタンク内の前記液剤を吐出するポンプ及び該ポンプが吐出した液剤を噴射する線引用のノズルを備える線引装置において、前記ポンプは前記タンクに装着されており、前記タンクを携行するための携行部、及び前記ポンプの吐出路に可撓ホースにより接続されている把持管を有し、該把持管の先端部に前記ノズルを配してあることを特徴とする。
【００１１】
本発明にあっては、ポンプが装着されているタンクを一人の作業者が携行し、当該作業者が、先端部にノズルが配されている把持管を把持し、ポンプが吐出するタンク内の液剤をノズルから噴射させつつ線引きすることができるため、円形、曲線の線引きであっても一人の作業者で容易に、且つ一様の幅に線引きすることができるとともに、部品点数を比較的少なくすることができ、軽量で、低コストにすることができる。
【００１２】
また、本発明に係る線引装置は、前記把持管は、前記ノズルの両側に接地輪を有することを特徴とする。
本発明にあっては、ノズルの両側に有する接地輪にて把持管を支持し、該把持管を把持する作業者の負担を軽減することができるとともに、ノズルの安定性を良好にできるため、把持管を把持しての線引き作業を簡易にできる。
【００１３】
また、本発明に係るは線引装置は、液剤が収容されるタンク内の前記液剤を吐出するポンプ及び該ポンプが吐出した液剤を噴射する線引用のノズルを備える線引装置において、前記ポンプは操作レバーの操作により駆動される手動式であって前記タンクに装着されており、前記タンクは、該タンクを肩掛けして携行するための肩掛け部材及び前記操作レバーを有しており、前記ポンプの吐出路に可撓ホースにより接続されている把持管を備え、該把持管の先端部に前記ノズル及び接地輪を配してあることを特徴とする。
【００１４】
本発明にあっては、ポンプが装着されているタンクを一人の作業者が携行し、当該作業者が、先端部にノズルが配されている把持管を把持し、操作レバーを手動で操作してタンク内の液剤をポンプにて吐出し、ノズルから噴射させつつ線引きすることができるため、円形、曲線の線引きであっても一人の作業者で容易に、且つ一様の幅に線引きすることができるとともに、部品点数を比較的少なくすることができ、軽量で、低コストにすることができる。
【発明の効果】
【００１５】
本発明によれば、ポンプを備え、該ポンプ及びタンクが一人の作業者にて携行され、当該作業者にて線引きすることができるため、円形、曲線の線引きであっても一人の作業者で容易に、且つ一様の幅に線引きすることができるとともに、部品点数を比較的少なくすることができ、軽量で、低コストにすることができる。
【００１６】
また、本発明によれば、ノズルの両側に配してある接地輪にて作業者の負担を軽減することができるとともに、ノズルの安定性を良好にできるため、把持管を把持しての線引き作業を簡易にできる。
【００１７】
また、本発明によれば、ポンプを備え、該ポンプ及びタンクを一人の作業者が背負って携行し、当該作業者の片手で、ノズルが設けられている把持管を握り、他の手で操作レバーを握り、一人の作業者にて線引きすることができるため、円形、曲線の線引きであっても容易に、且つ一様の幅に線引きすることができるとともに、部品点数を比較的少なくすることができ、軽量で、低コストにすることができる。
【図面の簡単な説明】
【００１８】
【図１】本発明に係る線引装置の構成を示す模式図である。
【図２】本発明に係る線引装置の構成を示す背面図である。
【図３】本発明に係る線引装置のノズル側部分の構成を示す拡大側面図である。
【図４】本発明に係る線引装置のノズル側部分の構成を示す一部省略拡大背面図である。
【図５】本発明に係る線引装置の接地輪側に配される支持杆の構成を示すもので、Ａは平面図、Ｂは正面図である
【発明を実施するための形態】
【００１９】
以下、本発明をその実施の形態を示す図面に基づいて詳述する。
図１は本発明に係る線引装置の構成を示す模式図、図２は線引装置の構成を示す背面図、図３は線引装置のノズル側部分の構成を示す拡大側面図、図４は線引装置のノズル側部分の構成を示す一部省略拡大背面図、図５は線引装置の接地輪側に配される支持杆の構成を示すもので、Ａは平面図、Ｂは正面図である。
【００２０】
図に示した線引装置は、水、塗料等の液剤が収容されるタンク１と、該タンク１の下部に装着され、タンク１内の液剤を吐出するポンプと、タンク１を背負うための背負い部材３と、タンク１の側部に装着され、手動操作でポンプを駆動する操作レバー４と、ポンプの吐出路に可撓ホース５により接続されている把持管６と、該把持管６の先端部に取付けられているノズル７及び該ノズル７の両側に配されている二つの接地輪８とを備える。背負い部材３は、ポンプが装着されているタンク１を携行するための携行部を構成している。
【００２１】
タンク１は、略円筒形をなし、上部に注排口を有するタンク本体１１と、注排口に着脱可能に装着されている蓋体１２とを備え、該蓋体１２の上部に、把持可能な提手１３が設けられている。タンク１の一側には第１の横孔１４が開設され、他側には第２の横孔１５が開設されている。第１の横孔１４には、略Ｌ字形をなす操作レバー４の先端部（一辺部先端）が挿入されており、第２の横孔１５には可撓ホース５の一端が挿入されている。
【００２２】
ポンプは、可撓の円板状をなし、中央部が操作レバー４の角回転に連動して上下に動作するダイヤフラムと、タンク１内に取着され、前記ダイヤフラムの周縁部を保持してあるハウジングと、前記ダイヤフラムの動作にてタンク１内の液剤を前記ハウジング内に吸込むとともにタンク１内への逆流を阻止し、前記ハウジング内で圧液を発生させるための吸入／吐出用の弁体とを有し、操作レバー４の操作により駆動される手動式であり、前記ハウジング内の圧液を吐出する吐出路に可撓ホース５の一端が連通している。
【００２３】
背負い部材３は２本のベルト部材からなり、タンク１における第１及び第２の孔１４，１５間の上下及び横方向へ離隔した４箇所に両端が取付けられ、肩掛けにてタンク１を背負うことができるように構成されている。
【００２４】
操作レバー４は比較的長い長レバー部４ａ及び該長レバー部４ａの先端に屈曲部にて連なり、第１の横孔１４に挿入されている短レバー部４ｂを有し、該短レバー部４ｂが前記ハウジングの外部に角回転可能に枢着されているとともに、連動機構を介して前記ダイヤフラムの中央部に連動し、長レバー部４ａを上下に角回転させることにより、前記ダイヤフラムを上下に動作させるように構成されている。
【００２５】
把持管６は、比較的長い非可撓管からなり、可撓ホース５に接続される基端側に開閉弁及び該開閉弁を動作させる弁レバー６１が設けられており、先端にノズル保持管６２が接続され、該ノズル保持管６２の先端にノズル７が着脱自在に取付けられている。ノズル保持管６２は、把持管６の軸線と交差する方向へ屈曲する屈曲部を有し、把持管６が地面に対して斜めになる状態で把持されたとき、ノズル保持管６２の先端に取付けられているノズル７が下向きに開口するように構成されている。
【００２６】
ノズル保持管６２の中間には、横方向に長く、両端部に接地輪８，８を支持する角棒状の支持杆６３が取付けられている。支持杆６３は、長手方向中央部がノズル保持管６２に取付けられ、両端部に複数の位置決め凹部６３ａが長手方向に離隔して設けられている。
【００２７】
ノズル７は水にて線引きするための水噴射及び塗料にて線引きするための塗料噴射を兼ねており、所定の噴射角で噴射するように構成されている。ノズル７はチャッキ弁７２を有するノズルホルダ７１に取付けられ、該ノズルホルダ７１がノズル保持管６２の先端に取外しを可能に取付けられている。チャッキ弁７２は、把持管６の弁レバー６１が閉位置にあるとき、把持管６内に残っている液剤がノズル７から滴下するのを防いでいる。
【００２８】
接地輪８，８は、車輪及び該車輪の軸方向一側に取付けられた遮蔽板を有しており、ノズル７から噴射された液剤の広がりを遮蔽板が規制し、噴射された液剤による線幅を設定するため遮板を兼ねており、対向する内面に遮蔽板が配され、接地輪８，８の離間距離が線幅になるように構成されている。接地輪８の車軸の両端にアーム８ａ，８ａが結合され、該アーム８ａ，８ａが横方向への摺動を自在に支持杆６３に取付けられ、競技によって決められている線幅に対応して接地輪８，８間の正確な間隔を簡易に調節可能にしてある。
【００２９】
アーム８ａ，８ａの上端部は倒立Ｕ字形をなし、Ｕ字の両辺に、支持杆６３の両端部に挿通される孔８ｂ，８ｂが開設され、Ｕ字の中央部に、先端が支持杆６３の両端側位置決め凹部６３ａ，６３ａのいずれか一つに係合する雄螺子９，９が螺着され、該雄螺子９，９にてＵ字部分が支持杆６３の両端部に固定され、雄螺子９，９を弛緩することによりアーム８ａ，８ａを支持杆６３に沿って摺動させ、接地輪８，８間の間隔を調節可能にしてある。
【００３０】
アーム８ａ，８ａの下端部には下向き傾斜の紐掛凹部８ｄが設けられ、円形に線引きされる際、その一端部が円形線の中心に係止される紐体の他端部が一方のアーム８ａの紐掛凹部８ｄに掛止され、円形の線を簡易に引くことができるように構成されている。なお、時計周りに線引きされる際は、一方のアーム８ａの紐掛凹部８ｄに紐掛けされ、反時計周りに線引きされる際は、他方のアーム８ａの紐掛凹部８ｄに紐掛けされる。
【００３１】
以上のように構成された線引装置は、ポンプが装着されているタンク１内に水、塗料等の液剤が収容され、背負い部材３にて作業者の背中にタンク１が背負われることによりタンク１及びポンプが携行される。タンク１を背負った作業者の片方の手で把持管６の基端部が把持され、接地輪８が地面に接地され、この接地した状態で接地輪８間のノズル７が下向きに開口する。
【００３２】
タンク１を背負い、把持管６を把持した作業者は他方の手で操作レバー４を握り、該操作レバー４を上下に角回転させることにより、ポンプのダイヤフラムが上下に動作してタンク１内の液剤がハウジング内に吸込まれ、発生した圧液が吐出路から可撓ホース５内を経て把持管６内に圧送される。
【００３３】
線引きを実行する際には、作業者が把持管６の弁レバー６１を握って弁体を開動作させることにより接地輪８，８間のノズル７から地面に向けて液剤を噴射しつつ接地輪８，８を転動させ、作業者が歩行することにより適宜の線を引くことができる。この際、ノズル７から噴射された液剤の広がりを接地輪８，８の遮蔽板が規制し、線幅を設定するため、一定幅の線を引くことができ、また、接地輪８，８の離間距離を変更することにより、線幅を変えることができる。
【００３４】
以上のようにタンク１及びポンプがユニットになっており、このユニットのポンプに可撓ホース５及び把持管６を介してノズル７が接続されているため、部品点数を低減できるとともに、比較的小形で、軽量にすることができる。しかも、タンク１及びポンプのユニットを作業者が背負い、ノズル７が装着されている把持管６を作業者の片手で把持し、他方の手で操作レバー４を操作することにより、ノズル７から一定圧の液剤を噴射しつつ一人の作業者で線引きすることができるため、作業効率がよく、線引き長さに対する液剤量を低減でき、線引きコストを低減できる。また、競技によって決められている線幅に対応して接地輪８，８間の正確な間隔を簡易に調節することができる。
【００３５】
尚、以上説明した実施の形態では、タンク１及びポンプのユニットを背負い部材３にて背負うことができる構成としたが、その他、背負い部材３をなくし、タンク１の蓋体１２に設けられている提手１３を携行部とし、提手１３を把持してタンク１及びポンプのユニットを携行することができるように構成してもよいし、背負い部材３と提手１３とを備え、いずれか一方を選択して携行することができる構成としてもよく、携行するための構成は特に制限されない。提手１３を把持して携行する構成の場合、前記ユニットに接地用の転動輪を設けてもよい。
【００３６】
また、以上説明した実施の形態では、タンク１にポンプが直接装着されている構成としたが、その他、ポンプが間接的に装着されている構成であってもよい。
【００３７】
また、以上説明した実施の形態では、ノズル７の両側に接地輪８を有する構成としたが、その他、接地輪８は必ずしも必要でない。
【００３８】
また、以上説明した実施の形態では、ダイヤフラムを有するポンプとしたが、その他、操作レバー４の操作で往復動するピストンを有するポンプであってもよいし、また、エンジン、電動モータ等により駆動されるポンプであってもよく、ポンプの構成は特に制限されない。
【符号の説明】
【００３９】
１    タンク
３    背負い部材
４    操作レバー
５    可撓ホース
６    把持管
７    ノズル
８    接地輪
【図１】
2013055980.tif 000003
【図２】
2013055980.tif 000004
【図３】
2013055980.tif 000005
【図４】
2013055980.tif 000006
【図５】
2013055980.tif 000007